(57)【特許請求の範囲】
【請求項１】
シートクッションおよびシートバックを構成するシートフレームを備えたシートであって、
前記シートフレームの内側に掛け渡された撓み変形可能な掛架部材と、
前記掛架部材を介して前記シートフレームに取り付けられた板状の乗員支持部材と、
着座者に振動を与える振動ユニットとを備え、
前記掛架部材は、第１掛架部材と、前記第１掛架部材に沿うように架け渡された第２掛架部材とを有し、
前記振動ユニットは、
取付部分の長手方向を前記掛架部材の掛け渡し方向と交差する方向に向けた状態で前記乗員支持部材を介して前記掛架部材に取り付けられており、
着座者と前記乗員支持部材が対向する方向から見て、前記第１掛架部材と前記第２掛架部材の間であって、前記第１掛架部材および前記第２掛架部材と重ならない位置に配置されていることを特徴とするシート。
【請求項２】
前記シートフレームの一部である前記シートバックの左右のフレームを構成する左右のシートバックサイドフレームと、
前記左右のシートバックサイドフレームの間に配置され、前記左右のシートバックサイドフレームの間に左右方向に掛け渡された前記掛架部材としての取付ワイヤを介して前記左右のシートバックサイドフレームに取り付けられた前記乗員支持部材とを備え、
前記振動ユニットは、取付部分の長手方向を上下方向に向けた状態で前記乗員支持部材の後面の左右方向中央部に取り付けられたことを特徴とする請求項１に記載のシート。
【請求項３】
前記振動ユニットは、
モータと、
前記モータの本体から延出した軸に取り付けられた偏心錘と、
前記モータの本体と前記偏心錘の間に配置されて前記モータの本体が固定される板状の固定部と、前記固定部の端部から前記モータの本体と前記偏心錘が並ぶ方向に沿って延び、前記掛架部材に取り付けられる長板状の取付部とを有する取付ブラケットとを備えたことを特徴とする請求項１または請求項２に記載のシート。
【請求項４】
前記シートフレームの一部である前記シートバックの左右のフレームを構成する左右のシートバックサイドフレームと、
前記左右のシートバックサイドフレームの間に配置され、前記左右のシートバックサイドフレームの間に左右方向に掛け渡された前記掛架部材としての取付ワイヤを介して前記左右のシートバックサイドフレームに取り付けられた前記乗員支持部材とを備え、
前記乗員支持部材の後面には、前方に向けて凹む形状の凹部が形成され、
前記振動ユニットは、少なくとも一部が前記凹部に入り込んだ状態で取り付けられたことを特徴とする請求項１から請求項３のいずれか１項に記載のシート。
【請求項５】
前記乗員支持部材の前側に配置され、前記振動ユニットとの間で前記乗員支持部材を挟んだ状態で前記振動ユニットが締結により固定された取付板を備え、
前記取付板は、前記乗員支持部材の後面に形成された後方に向けて突出するビード部に締結により固定されたことを特徴とする請求項２または請求項４に記載のシート。
【請求項６】
前記乗員支持部材は、縦断面において後面が凹むように湾曲しており、
前記振動ユニットは、前記乗員支持部材の後面の上下方向中央部に取り付けられたことを特徴とする請求項２、請求項４および請求項５のいずれか１項に記載のシート。
【請求項７】
前記シートバックは、ヘッドレストを取り付けるための左右一対のサポートブラケットを有し、
前記振動ユニットは、左右方向において前記一対のサポートブラケットの間に配置されていることを特徴とする請求項２および請求項４から請求項６のいずれか１項に記載のシート。
【請求項８】
前記偏心錘は、前記モータの軸方向に積層可能な少なくとも１つの板状の錘ユニットから構成され、
複数の前記錘ユニットは、回転中心から径方向にずれた箇所で互いに固定可能に構成されたことを特徴とする請求項３に記載のシート。
【発明の詳細な説明】
【技術分野】
【０００１】
本発明は、シートクッションおよびシートバックを構成するシートフレームを備えたシートに関する。
【背景技術】
【０００２】
従来より、シートに座った着座者にマッサージ効果や覚醒効果などを与えるため、シートクッション内やシートバック内に振動を発生させる振動ユニットを設けたシートが知られている（例えば、特許文献１，２参照）。
【先行技術文献】
【特許文献】
【０００３】
【特許文献１】特開平８−１１５４８１号公報
【特許文献２】特開平９−２３８７７６号公報
【発明の概要】
【発明が解決しようとする課題】
【０００４】
ところで、振動ユニットを、シートクッションのフレームやシートバックのフレームの内側に掛け渡された弾性部材に取り付ける場合には、振動ユニットの取付部分の長手方向を弾性部材の掛け渡し方向と平行に取り付けると振動効率が下がってくるおそれがある。
【０００５】
本発明は、以上の背景に鑑みてなされたものであり、振動ユニットを備えるシートにおいて振動効率を向上させることを目的とする。
また、本発明は、振動ユニットを安定して取り付けることを第２の目的とする。
また、本発明は、シートの前後方向の大型化を抑制することを第３の目的とする。
また、本発明は、シートの組立工程の自由度を向上させることを第４の目的とする。
また、本発明は、振動ユニットで発生する振動の大きさを変更可能とすることを第５の目的とする。
また、本発明は、振動ユニットで発生する振動の影響が振動させたくない部材に伝わることを抑制することを第６の目的とする。
【課題を解決するための手段】
【０００６】
前記した目的を達成するため、本発明のシートは、シートクッションおよびシートバックを構成するシートフレームを備えたシートであって、前記シートフレームの内側に掛け渡された撓み変形可能な掛架部材と、前記掛架部材を介して前記シートフレームに取り付けられた板状の乗員支持部材と、着座者に振動を与える振動ユニットとを備え、前記掛架部材は、第１掛架部材と、前記第１掛架部材に沿うように架け渡された第２掛架部材とを有し、前記振動ユニットは、取付部分の長手方向を前記掛架部材の掛け渡し方向と交差する方向に向けた状態で前記乗員支持部材を介して前記掛架部材に取り付けられており、着座者と前記乗員支持部材が対向する方向から見て、前記第１掛架部材と前記第２掛架部材の間であって、前記第１掛架部材および前記第２掛架部材と重ならない位置に配置されていることを特徴とする。
【０００７】
このような構成によれば、シートフレームの内側に掛け渡された撓み変形可能な掛架部材の狭い範囲を振動ユニットによって振動させることができるので、掛架部材をより大きく振動させることができる。これにより、振動効率を向上させることができる。
【０００８】
前記したシートは、前記シートフレームの一部である前記シートバックの左右のフレームを構成する左右のシートバックサイドフレームと、前記左右のシートバックサイドフレームの間に配置され、前記左右のシートバックサイドフレームの間に左右方向に掛け渡された前記掛架部材としての取付ワイヤを介して前記左右のシートバックサイドフレームに取り付けられた板状の乗員支持部材とを備え、前記振動ユニットは、取付部分の長手方向を上下方向に向けた状態で前記乗員支持部材の後面の左右方向中央部に取り付けられた構成とすることができる。
【０００９】
このような構成によれば、乗員支持部材を左右のシートバックサイドフレームに取り付ける取付ワイヤを掛架部材として利用して、振動効率の向上を図ることができる。また、振動ユニットを乗員支持部材の後面に取り付けたことで、振動ユニットを掛架部材に直接取り付けた場合と比較して、振動ユニットを容易かつ安定して取り付けることができる。
【００１０】
前記した各シートにおいて、前記振動ユニットは、モータと、前記モータの本体から延出した軸に取り付けられた偏心錘と、前記モータの本体と前記偏心錘の間に配置されて前記モータの本体が固定される板状の固定部と、前記固定部の端部から前記モータの本体と前記偏心錘が並ぶ方向に沿って延び、前記掛架部材に取り付けられる長板状の取付部とを有する取付ブラケットとを備えた構成とすることができる。
【００１１】
このような構成によれば、振動ユニットの大型化を抑制しつつ、振動ユニットを掛架部材に対して安定して取り付けることができる。
【００１２】
前記した各シートは、前記シートフレームの一部である前記シートバックの左右のフレームを構成する左右のシートバックサイドフレームと、前記左右のシートバックサイドフレームの間に配置され、前記左右のシートバックサイドフレームの間に左右方向に掛け渡された前記掛架部材としての取付ワイヤを介して前記左右のシートバックサイドフレームに取り付けられた板状の乗員支持部材とを備え、前記乗員支持部材の後面には、前方に向けて凹む形状の凹部が形成され、前記振動ユニットは、少なくとも一部が前記凹部に入り込んだ状態で取り付けられた構成とすることができる。
【００１３】
このような構成によれば、振動ユニットの後方への突出量を抑制することができるので、振動ユニットを備えるシートの前後方向への大型化を抑制することが可能となる。
【００１４】
前記した振動ユニットが乗員支持部材の後面に取り付けられたシートは、前記乗員支持部材の前側に配置され、前記振動ユニットとの間で前記乗員支持部材を挟んだ状態で前記振動ユニットが締結により固定された取付板を備え、前記取付板は、前記乗員支持部材の後面に形成された後方に向けて突出するビード部に締結により固定された構成とすることができる。
【００１５】
このような構成によれば、振動ユニットの取付剛性を向上させることができるので、振動ユニットで発生する振動を乗員支持部材や取付ワイヤなどを介して効率良く乗員に伝達することが可能となる。
【００１６】
前記した振動ユニットが乗員支持部材の後面に取り付けられたシートにおいて、前記乗員支持部材は、縦断面において後面が凹むように湾曲しており、前記振動ユニットは、前記乗員支持部材の後面の上下方向中央部に取り付けられた構成とすることができる。
【００１７】
このような構成によれば、振動ユニットの後方への突出量を抑制することができるので、振動ユニットを備えるシートの前後方向への大型化を抑制することが可能となる。
【００１８】
前記したシートにおいて、前記シートバックは、ヘッドレストを取り付けるための左右一対のサポートブラケットを有し、前記振動ユニットは、左右方向において前記一対のサポートブラケットの間に配置されている構成とすることができる。
前記した振動ユニットが乗員支持部材の後面に取り付けられたシートにおいて、前記振動ユニットは、前記取付ワイヤを避けた位置に取り付けられた構成とすることができる。
【００１９】
このような構成によれば、乗員支持部材に対し、取付ワイヤと振動ユニットのいずれを先に取り付けても良くなるので、シートの組立工程の自由度を向上させることができる。
【００２０】
また、シートは、シートクッションおよびシートバックを構成するシートフレームを備えたシートであって、前記シートフレームの内側に掛け渡された撓み変形可能な掛架部材と、着座者に振動を与える振動ユニットとを備え、前記振動ユニットは、取付部分の長手方向を前記掛架部材の掛け渡し方向と交差する方向に向けた状態で前記掛架部材に取り付けられており、シートは、前記シートフレームの一部である前記シートクッションのフレームを構成するシートクッションフレームと、前記シートクッションフレームの内側で前後方向に掛け渡された前記掛架部材としてのシートスプリングとを備え、前記振動ユニットは、取付部分の長手方向を左右方向に向けた状態で前記シートスプリングの前後方向中央部に取り付けられた構成とすることができる。
【００２１】
このような構成によれば、シートクッションのシートスプリングを掛架部材として利用して、振動効率の向上を図ることができる。また、掛架部材としてシートスプリングを利用したことで、部品点数の増加を抑制することができる。
【００２２】
前記した振動ユニットが偏心錘を備えるシートにおいて、前記偏心錘は、前記モータの軸方向に積層可能な少なくとも１つの板状の錘ユニットから構成され、複数の前記錘ユニットは、回転中心から径方向にずれた箇所で互いに固定可能に構成することができる。
【００２３】
このような構成によれば、シートのサイズや用途などに応じて錘ユニットの数を適宜設定することで、振動ユニットで発生する振動の大きさを容易に変更することができる。
【００２４】
前記した振動ユニットがシートスプリングに取り付けられたシートは、シートの重量または位置を検出する検出センサを備え、前記シートスプリングは、左右方向に並んで複数設けられており、前記振動ユニットは、前記検出センサの最も近くに配置されたシートスプリング以外のシートスプリングに取り付けられた構成とすることができる。
【００２５】
このような構成によれば、検出センサを備えるシートにおいて、振動ユニットで発生する振動の影響が検出センサに伝わることを抑制することができる。また、検出センサと振動ユニットとの干渉を抑制することができる。
【発明の効果】
【００２６】
本発明によれば、振動ユニットが取付部分の長手方向を掛架部材の掛け渡し方向と交差する方向に向けた状態で掛架部材に取り付けられていることで、掛架部材をより大きく振動させることができるため、振動効率を向上させることができる。
【００２７】
また、本発明によれば、振動ユニットの取付部分の長手方向を上下方向に向けた状態で、左右方向に掛け渡された取付ワイヤを介して左右のシートバックサイドフレームに取り付けられた乗員支持部材の後面の左右方向中央部に取り付けることで、取付ワイヤを掛架部材として利用して、振動効率の向上を図ることができる。また、振動ユニットを容易かつ安定して取り付けることができる。
【００２８】
また、本発明によれば、振動ユニットを、モータと、偏心錘と、板状の取付ブラケットとから構成することで、振動ユニットの大型化を抑制しつつ、振動ユニットを掛架部材に対して安定して取り付けることができる。
【００２９】
また、本発明によれば、振動ユニットを少なくとも一部が乗員支持部材の後面に形成された凹部に入り込んだ状態で乗員支持部材の後面に取り付けることで、シートの前後方向への大型化を抑制することができる。
【００３０】
また、本発明によれば、乗員支持部材を挟んだ状態で振動ユニットが固定される取付板を、乗員支持部材に形成されたビード部に締結により固定することで、振動ユニットで発生する振動を取付ワイヤなどを介して効率良く乗員に伝達することができる。
【００３１】
また、本発明によれば、振動ユニットを後面が凹むように湾曲した乗員支持部材の後面の上下方向中央部に取り付けることで、シートの前後方向への大型化を抑制することができる。
【００３２】
また、本発明によれば、振動ユニットを乗員支持部材の取付ワイヤを避けた位置に取り付けることで、乗員支持部材に対する取付ワイヤと振動ユニットの取付順が任意になるので、シートの組立工程の自由度を向上させることができる。
【００３３】
また、振動ユニットの取付部分の長手方向を左右方向に向けた状態で、シートクッションフレームの内側で前後方向に掛け渡されたシートスプリングの前後方向中央部に取り付けることで、シートスプリングを掛架部材として利用して、振動効率の向上を図ることができる。また、部品点数の増加を抑制することができる。
【００３４】
また、本発明によれば、偏心錘を積層可能な板状の錘ユニットから構成し、各錘ユニットを互いに固定可能に構成することで、振動ユニットで発生する振動の大きさを容易に変更することができる。
【００３５】
また、振動ユニットを検出センサの最も近くに配置されたシートスプリング以外のシートスプリングに取り付けることで、振動ユニットで発生する振動の影響が検出センサに伝わることを抑制することができる。また、検出センサと振動ユニットとの干渉を抑制することができる。
【図面の簡単な説明】
【００３６】
【図１】第１実施形態に係るシートを構成するシートフレームの斜視図である。
【図２】シートフレームを構成するシートバックフレームを後ろから見た図である。
【図３】振動ユニットと受圧部材のビード部周辺を示す斜視図である。
【図４】図２のＸ−Ｘ断面図である。
【図５】振動ユニットの分解斜視図である。
【図６】本発明の作用効果を説明するための図であり、第１実施形態の説明図（ａ）と、比較例の説明図（ｂ）と、第１実施形態の変形例の説明図（ｃ）である。
【図７】第１実施形態の他の変形例に係るシートの振動ユニットの取り付けを説明するための斜視図（ａ）と断面図（ｂ）である。
【図８】第２実施形態に係るシートを構成するシートフレームの斜視図である。
【図９】図８のＹ−Ｙ断面図である。
【図１０】第２実施形態の変形例に係るシートクッションフレームの断面図である。
【図１１】変形例に係る振動ユニットの斜視図である。
【図１２】他の変形例に係る振動ユニットの正面図である。
【発明を実施するための形態】
【００３７】
［第１実施形態］
次に、本発明の第１実施形態について、適宜図面を参照しながら詳細に説明する。
図１に示すように、本実施形態に係るシートは、自動車の運転席に使用される車両用シート（符号省略）として構成されており、シートフレームＦを備えている。そして、詳細については後述するが、このシートは、受圧部材４０の後面に、シートに着座した乗員（着座者）に振動を与える振動ユニット５０（図３参照）が取り付けられている。振動ユニット５０は、例えば、乗員がコントローラ（図示省略）を操作することで、連続的または断続的に駆動して振動を発生させ、乗員にマッサージ効果や覚醒効果などを与える。なお、本発明において、振動ユニット５０の具体的な制御方法や制御のための構成などは、特に限定されるものではなく、また、本発明に直接関連しないので、本明細書では詳細な説明を省略する。
【００３８】
シートフレームＦは、乗員が着座するシートクッションのフレームを構成するシートクッションフレームＦ１と、背もたれとなるシートバックのフレームを構成するシートバックフレームＦ２とから主に構成されている。そして、本実施形態に係るシートは、シートクッションフレームＦ１およびシートバックフレームＦ２に、ウレタンフォームなどのクッション材と、合成皮革や布地などからなる表皮材を被せることで構成されている。
【００３９】
シートクッションフレームＦ１は、左右のシートクッションサイドフレーム１１と、パンフレーム１２と、リア連結パイプ１３とを主に有して構成され、左右のシートクッションサイドフレーム１１、パンフレーム１２およびリア連結パイプ１３が溶接などによって一体に結合された枠状に形成されている。この枠状のシートクッションフレームＦ１の内側には、クッション材とともに乗員を支持する撓み変形可能なシートスプリング１４が、パンフレーム１２とリア連結パイプ１３の間で前後方向に掛け渡されている。本実施形態において、シートスプリング１４は、左右方向に並んで４つ設けられている。
【００４０】
このようなシートクッションフレームＦ１は、自動車のフロアにスライドレールＳＬを介して設置されており、これにより、シートは、前後位置を調整可能となっている。また、シートバックフレームＦ２は、その下部がシートクッションフレームＦ１の後部にリクライニング機構ＲＬを介して回動自在に連結されている。これにより、シートバックは、シートクッションに対し前後に傾動可能となっている。
なお、本明細書において、前後、左右および上下は、リクライニング機構ＲＬによってシートバックが倒されていない状態のシートに着座した乗員を基準とする。
【００４１】
シートバックフレームＦ２は、上部フレーム２１と、左右のシートバックサイドフレーム２２と、下部フレーム２３とを主に有して構成され、上部フレーム２１、左右のシートバックサイドフレーム２２および下部フレーム２３が溶接などによって一体に結合された枠状に形成されている。この枠状のシートバックフレームＦ２の内側（左右のシートバックサイドフレーム２２の間）には、乗員の上体を後退移動可能に支持する乗員支持部材としての受圧部材４０が配置されている。
【００４２】
上部フレーム２１は、略Ｕ形状に屈曲するパイプ材で構成されており、左右方向に延びる横パイプ部２１Ａの前側には、図示しないヘッドレストを取り付けるための左右一対のサポートブラケット２１Ｂが溶接によって固定されている。また、上部フレーム２１の上下方向に延びる左右の縦パイプ部２１Ｃは、それぞれ、その下部に結合される板状の左右のサイドフレーム本体部２２Ａと一体となって左右のシートバックサイドフレーム２２を構成している。
【００４３】
受圧部材４０は、樹脂などからなる板状の部材であり、図２に示すように、左右のシートバックサイドフレーム２２の間に左右方向に掛け渡された撓み変形可能な掛架部材としての上部取付ワイヤＷ１および下部取付ワイヤＷ２を介して、左右のシートバックサイドフレーム２２に後退移動可能に取り付けられている。より詳細に、上部取付ワイヤＷ１は、受圧部材４０の背面側上部に形成された保持部としての係止部４５に係止され、左右両端が上方に向けて凸となるように屈曲した後、それぞれの端部が縦パイプ部２１Ｃに固定された支持舌片２１Ｄに係止されることで、受圧部材４０の上部を左右のシートバックサイドフレーム２２に連結している。また、下部取付ワイヤＷ２は、受圧部材４０の背面側下部に形成された保持部としての係止部４６に係止され、左右の端部がサイドフレーム本体部２２Ａの内側面に固定された後方に揺動可能なリンク部材２２Ｂ（図１参照）に係止（連結）されることで、受圧部材４０を左右のシートバックサイドフレーム２２に連結している。
【００４４】
このような取付構造により受圧部材４０は、自車両の後部に他車両が追突したり、後退する自車両の後部が他車両や構造物に衝突したりして乗員の上体からシートバックに後退移動荷重が作用したときに、上部取付ワイヤＷ１の左右両端の屈曲部分が撓んだり、リンク部材２２Ｂの揺動によって下部取付ワイヤＷ２の左右の端部が後方へ移動したりすることで、左右のシートバックサイドフレーム２２に対して後退移動する。これにより、乗員の上体がシートバックに沈み込むことになるので、乗員に対する追突時などの荷重の影響を緩和することができるようになっている。また、上記したような受圧部材４０の取付構造により、受圧部材４０に取り付けられた振動ユニット５０が大きな荷重を受けた場合の衝撃を吸収することも可能となる。なお、リンク部材２２Ｂは、引張コイルばねなどを用いた公知の機構により、所定値以上の後退移動荷重が作用した場合に後方へ揺動するように構成されている。
【００４５】
受圧部材４０の後面の中央付近には、後方に向けて突出する補強用突出部としてのビード部４１が形成されている。ビード部４１は、図３に示すように、左右方向に並ぶ３つの縦ビード部４１Ａと、縦ビード部４１Ａの端部をつなぐ２つの横ビード部４１Ｂとから枠状に構成されている。別の言い方をすると、受圧部材４０の後面の中央付近には、ビード部４１（縦ビード部４１Ａと横ビード部４１Ｂ）に囲まれた領域が、前方に向けて凹む形状をなす凹部４２を形成している。また、図４に示すように、受圧部材４０は、その全体が縦断面において、後面の上下方向中央付近が凹むように湾曲している。このように受圧部材４０は、ビード部４１や凹部４２（凹凸）を有し、また、全体が湾曲していることで、剛性が高くなっている。
【００４６】
図３に戻り、振動ユニット５０は、モータ５１と、偏心錘５２と、取付ブラケット５３とを主に備え、モータ５１が回転駆動することで振動を発生させるように構成されている。
【００４７】
偏心錘５２は、略扇形状に形成された錘であり、図５に示すように、扇の要となる箇所付近でモータ本体５１Ａから延出した回転軸５１Ｂに取り付けられている。この偏心錘５２は、モータ５１の軸方向に積層可能な板状の錘ユニット５２Ａ，５２Ｂから主に構成されている。錘ユニット５２Ａは、モータ５１の回転軸５１Ｂに直接固定されるユニットであり、回転軸５１Ｂが圧入される取付穴５２Ｌと、ネジ溝が形成された複数のネジ穴５２Ｍとを主に有している。また、錘ユニット５２Ｂは、錘ユニット５２Ａを介して回転軸５１Ｂに固定されるユニットであり、複数の錘固定部としての貫通穴５２Ｐを有している。ネジ穴５２Ｍと貫通穴５２Ｐは、偏心錘５２の回転中心から径方向にずれた箇所、具体的には、錘ユニット５２Ａ，５２Ｂの三箇所の頂部付近で、錘ユニット５２Ａ，５２Ｂを積層したときに対応するネジ穴５２Ｍ、貫通穴５２Ｐ同士が連通するように形成されている。このような構成により、錘ユニット５２Ａ，５２Ｂは、積層して貫通穴５２Ｐおよびネジ穴５２Ｍにネジ５４を螺合することで互いに固定され、ネジ５４を取り外すことで互いに分離可能となっている。なお、貫通穴５２Ｐは、内周面にネジ溝が形成されていてもよいし、形成されていなくてもよい。また、錘ユニット５２Ｂは、錘ユニット５２Ａと同一構成の部品であってもよい。
【００４８】
取付ブラケット５３は、金属や樹脂などから形成された略Ｌ形状に屈曲する板状の部材であり、モータ本体５１Ａと偏心錘５２の間に配置されてモータ本体５１Ａがネジ５５により固定される固定部５３Ａと、固定部５３Ａの図示下端部からモータ本体５１Ａと偏心錘５２が並ぶ方向（モータ５１の軸方向）に沿ってモータ本体５１Ａ側に向けて延びる取付部５３Ｂとを主に有している。取付部５３Ｂは、モータ５１の軸方向と直交する方向に長い長板状をなしており、長手方向の両端部に貫通穴５３Ｃが１つずつ形成されている。
【００４９】
このような振動ユニット５０は、図２に示すように、受圧部材４０の後面に固定されることで、受圧部材４０を介して、上部取付ワイヤＷ１および下部取付ワイヤＷ２に取り付けられている。より詳細に、振動ユニット５０は、取付ブラケット５３の取付部５３Ｂの長手方向を上下方向に向けた状態で、受圧部材４０の後面の左右方向中央部であって、かつ、上下方向中央部に取り付けられている。さらに言えば、振動ユニット５０は、受圧部材４０を介して上下の取付ワイヤＷ１，Ｗ２に取り付けられているが、後ろから見ると、上部取付ワイヤＷ１および下部取付ワイヤＷ２を避けた位置、具体的には、上下方向において上部取付ワイヤＷ１と下部取付ワイヤＷ２の間で受圧部材４０の後面に取り付けられている。
【００５０】
ここで、振動ユニット５０の具体的な固定方法について説明する。
図４に示すように、振動ユニット５０は、受圧部材４０の前側に配置された取付板６０との間で受圧部材４０を挟んだ状態で、取付部材としてのボルトＢ５とナットＮ５の締結（螺合）により受圧部材４０に固定されている。取付板６０は、ビード部４１の裏側（前側）の左右方向中央部に配置され、ビード部４１（上下の横ビード部４１Ｂ）の頂面にボルトＢ６とナットＮ６の螺合により受圧部材４０に固定されている。そして、図３に示すように、振動ユニット５０は、取付板６０とビード部４１（中央の縦ビード部４１Ａ）の頂部に挿通されたボルトＢ５に取付部５３Ｂの貫通穴５３Ｃを挿通し、ボルトＢ５にナットＮ５を螺合することで受圧部材４０に固定されている。
【００５１】
なお、振動ユニット５０は、取付部５３Ｂが中央の縦ビード部４１Ａに載置されるように配置されている。そして、本実施形態においては、図４に示すように、偏心錘５２の一部が取付ブラケット５３（取付部５３Ｂ）の前面から前に飛び出していることで、振動ユニット５０は、その一部（偏心錘５２の一部）が凹部４２に入り込んだ状態で取り付けられている。
【００５２】
次に、以上のように構成されたシートの作用効果について説明する。
本実施形態では、振動ユニット５０が、取付部５３Ｂの長手方向を取付ワイヤＷ１，Ｗ２の掛け渡し方向である左右方向と直交する上下方向に向けた状態で、受圧部材４０を介して取付ワイヤＷ１，Ｗ２の左右方向中央部に取り付けられているので、図６（ａ）に示すように、取付ワイヤＷ１，Ｗ２の中央部の狭い範囲を振動ユニット５０によって振動させることができる。これにより、本実施形態では、いわば掛架された線状の部材の中央（撓みやすい箇所）に点状に力を加えた場合のように、取付ワイヤＷ１，Ｗ２を上下および前後に大きく振動させることができる。
【００５３】
一方、図６（ｂ）に示すように、振動ユニット５０が取付ワイヤＷ１，Ｗ２の左右方向中央部に取り付けられていても、取付部５３Ｂの長手方向が取付ワイヤＷ１，Ｗ２の掛け渡し方向（左右方向）を向いている場合には、振動ユニット５０の駆動によって、いわば掛架された線状の部材の中央に面状に力が加えられることになるので、本実施形態と比較して、取付ワイヤＷ１，Ｗ２の振動は小さくなる。
【００５４】
以上のように、図６（ａ）に示した本実施形態の構成では、振動効率を向上させることができるので、図６（ｂ）に参考として示した比較例の構成と同じ強さの振動を発生させる振動ユニット５０を用いて取付ワイヤＷ１，Ｗ２をより大きく振動させることができる。また、前記した比較例の構成と同等の強さの振動を得ることを目的とした場合、モータ５１の出力が小さい振動ユニット５０や小型の振動ユニット５０などの採用が可能となる。なお、取付ワイヤＷ１，Ｗ２をより効率良く振動させるため、振動ユニット５０の振動数は、取付ワイヤＷ１，Ｗ２（掛架部材）の固有振動数と略同じであることが望ましい。
【００５５】
本実施形態では、図２に示したように、振動ユニット５０が、取付部５３Ｂの長手方向を上下方向に向けた状態で、取付ワイヤＷ１，Ｗ２を介して左右のシートバックサイドフレーム２２に取り付けられた受圧部材４０の後面の左右方向中央部に取り付けられているので、取付ワイヤＷ１，Ｗ２を掛架部材として利用して、振動効率の向上を図ることができる。また、振動ユニット５０を受圧部材４０の後面に取り付けたことで、振動ユニット５０を上部取付ワイヤＷ１または下部取付ワイヤＷ２に直接取り付けたような構成と比較して、振動ユニット５０を容易かつ安定して取り付けることができる。
【００５６】
なお、本実施形態では、受圧部材４０の左右の両端部（振動ユニット５０の左右方向外側の位置）に、貫通孔としてのスリット４７が設けられているので、受圧部材４０の撓みやすさが向上している。さらに言えば、スリット４７は、左右方向において係止部４５と隣り合うように形成されているので、受圧部材４０の撓みやすさはより向上している。これらにより、振動効率をより向上させることができるようになっている。
【００５７】
また、振動ユニット５０が取付ワイヤＷ１，Ｗ２を避けた位置で受圧部材４０に取り付けられているので、受圧部材４０に対し、取付ワイヤＷ１，Ｗ２と振動ユニット５０のいずれを先に取り付けても良くなる。すなわち、受圧部材４０に対する取付ワイヤＷ１，Ｗ２と振動ユニット５０の取付順が任意となるので、シートの組立工程の自由度を向上させることができる。
【００５８】
また、図４に示したように、振動ユニット５０が、ビード部４１に締結により固定された取付板６０との間で、受圧部材４０を挟んだ状態で締結により固定されているので、振動ユニット５０の取付剛性を向上させることができる。これにより、振動ユニット５０で発生する振動を受圧部材４０や取付ワイヤＷ１，Ｗ２などを介して効率良く乗員に伝達することができる。
【００５９】
また、振動ユニット５０の一部が、受圧部材４０の後面に形成された凹部４２に入り込んだ状態で取り付けられているので、振動ユニット５０の後方への突出量を抑制することができる。また、振動ユニット５０が、縦断面において後面が凹むように湾曲する受圧部材４０の後面の上下方向中央部に取り付けられているので、これによっても、振動ユニット５０の後方への突出量を抑制することができる。これらにより、振動ユニット５０を備えるシートの前後方向への大型化を抑制することができる。なお、受圧部材４０の後面に凹部４２が形成されたり、受圧部材４０の後面が凹むように湾曲していたりすることで、受圧部材４０には前（乗員側）に向けて突出する部分が形成されることとなるが、乗員と受圧部材４０との間にはクッション材（図示省略）が配置されているため特に問題は生じない。
【００６０】
また、図５に示したように、本実施形態の振動ユニット５０は、モータ５１と、偏心錘５２と、取付ブラケット５３とから構成されているので、その大型化を抑制しつつ、取付ブラケット５３により振動ユニット５０を受圧部材４０（取付ワイヤＷ１，Ｗ２）に対して安定して取り付けることができる。
【００６１】
また、偏心錘５２が積層可能な錘ユニット５２Ａ，５２Ｂから構成され、複数の錘ユニット５２Ａ，５２Ｂが互いに固定可能に構成されているので、シートのサイズや用途などに応じて錘ユニット５２Ｂの数を０（錘ユニット５２Ａだけの状態）からｎ（ｎは自然数を示す。）まで適宜設定することで、振動ユニット５０で発生する振動の大きさを容易に変更することができる。これにより、例えば、サイズの異なるシートごとに専用の偏心錘を準備する必要がなくなるため、種類の異なるシート間において部品を共通化することができる。また、部品の共通化によりシートの低コスト化が可能となる。また、本実施形態において、錘ユニット５２Ａ，５２Ｂは、回転中心から径方向にずれた箇所でネジ５４により互いに固定可能に構成されているので、このネジ５４のような固定に使用する部材も錘として利用することができる。なお、錘ユニット５２Ｂの数の変更は、シートの組立工程の途中（偏心錘５２の組立工程）で行うほか、さらに、シートクッションの後を開くことで受圧部材４０（振動ユニット５０）を露出可能に構成しておくことで、シートの組立後においても行えるようにしてもよい。そして、そのために、錘ユニット５２Ｂは、ネジ５４などを使用しなくても着脱できるように構成されていてもよい。
【００６２】
以上説明した実施形態では、振動ユニット５０（取付部５３Ｂ）が中央の縦ビード部４１Ａに載置されるように固定されていたが、本発明はこれに限定されるものではない。例えば、図７（ａ），（ｂ）に示すように、振動ユニット５０は、取付部５３Ｂが、略矩形の枠状をなすビード部４１’によって囲まれた領域に形成される凹部４２’の底面に載置されるように固定されていてもよい。すなわち、振動ユニット５０は、取付部５３Ｂが凹部４２’内に入り込んだ状態で取り付けられていてもよい。これによれば、振動ユニット５０の後方への突出量をより抑制できるので、シートの前後方向への大型化をさらに抑制することが可能となる。ちなみに、図７に示す変形例では、偏心錘５２が凹部４２’の底面に干渉しないように、偏心錘５２が取付ブラケット５３（取付部５３Ｂ）の前面から前に飛び出さないように構成されている。より詳細には、図７に示す偏心錘５２は、その回転軌跡がモータ本体５１Ａの外周とほぼ重なるような大きさに形成されている。これによれば、振動ユニット５０をコンパクト化することができる。
【００６３】
なお、図６（ｃ）に示すように、本発明において、振動ユニット５０は、取付部５３Ｂの長手方向を取付ワイヤＷ１，Ｗ２の掛け渡し方向である左右方向と直交する上下方向に向けた状態で、受圧部材４０を介して取付ワイヤＷ１，Ｗ２の端近く（最も端は除く。）に取り付けられていてもよい。これによっても、振動ユニット５０によって、いわば掛架された線状の部材に点状に力を加えることができるので、取付ワイヤＷ１，Ｗ２を大きく振動させることができる。ちなみに、本発明において、振動ユニット５０は、図６（ｃ）に示す位置（図示右側の同様の位置も含む）よりも中央寄りに配置されていることが望ましく、取付ワイヤＷ１，Ｗ２の中央に配置されていることが最も望ましい。
【００６４】
［第２実施形態］
次に、第２実施形態について、適宜図面を参照しながら詳細に説明する。なお、本実施形態では、前記した第１実施形態と同様の構成要素については、同一符号を付して、その説明を省略することとする。
図８に示すように、第２実施形態に係るシートにおいては、振動ユニット５０が、シートクッション内（シートクッションフレームＦ１の内側）に配置されている。
【００６５】
本実施形態のシートは、シートクッションフレームＦ１とスライドレールＳＬとの４箇所（１箇所は図示省略）の連結部分に、検出センサとしての荷重検出センサ７０を備えている。荷重検出センサ７０は、シートの重量、より詳細には、シートクッションに作用する荷重を検出する公知のセンサである。詳細な説明は省略するが、荷重検出センサ７０の検出結果は、例えば、エアバッグ装置８０の展開などを制御するために用いられる。
【００６６】
本実施形態において、振動ユニット５０は、取付部５３Ｂの長手方向を左右方向に向けた状態で、本実施形態の掛架部材としてのシートスプリング１４の下面の前後方向中央部に取り付けられている。さらに言えば、本実施形態において、振動ユニット５０は、荷重検出センサ７０の最も近くに配置されたシートスプリング１４以外のシートスプリング１４に取り付けられている。具体的には、図９に示すように、振動ユニット５０は、最も右に配置されたシートスプリング１４Ａと最も左に配置されたシートスプリング１４Ｄの間に配置されたシートスプリング１４Ｂ，１４Ｃのうちのシートスプリング１４Ｃに取り付けられている。なお、シートスプリング１４への振動ユニット５０の取り付け方法（固定方法）は、特に限定されず、例えば、取付部５３Ｂを結束バンドなどによりシートスプリング１４に固定してもよいし、取付ブラケット５３が金属製である場合には、取付部５３Ｂを溶接によりシートスプリング１４に固定してもよい。
【００６７】
以上説明した本実施形態においても、振動ユニット５０が、取付部５３Ｂの長手方向を左右方向に向けた状態でシートスプリング１４の前後方向中央部に取り付けられていることで、振動ユニット５０の駆動によりシートスプリング１４を、掛架された撓み変形可能な部材の中央に点状に力を加えた場合のように、上下および左右に大きく振動させることができる。
【００６８】
また、本実施形態では、振動ユニット５０が、取付部５３Ｂの長手方向を左右方向に向けた状態でシートスプリング１４の前後方向中央部に取り付けられていることで、シートスプリング１４を掛架部材として利用して、振動効率の向上を図ることができる。また、掛架部材としてシートスプリング１４を利用したことで、部品点数の増加を抑制することができる。
【００６９】
また、振動ユニット５０が、荷重検出センサ７０の最も近くに配置されたシートスプリング１４Ａ，１４Ｄ以外のシートスプリング１４Ｃに取り付けられていることで、振動ユニット５０で発生する振動の影響が荷重検出センサ７０に伝わることを抑制することができる。また、荷重検出センサ７０と振動ユニット５０との干渉を抑制することができる。
【００７０】
なお、以上説明した第２実施形態では、振動ユニット５０がシートスプリング１４Ｃに取り付けられていたが、これに限定されず、シートスプリング１４Ｂに取り付けられていてもよい。また、図１０に示すように、振動ユニット５０は、シートスプリング１４Ｂとシートスプリング１４Ｃにまたがるように取り付けられていてもよい。この場合は、乗員に対し左右方向中央で振動を与えることが可能となるので、振動効率をより向上させることができる。また、図８および図９では、シートスプリング１４が４つ設けられた構成を例示したが、シートスプリングは複数設けられていればよく、例えば、シートスプリングは、２つや３つであってもよいし、５つ以上設けられていてもよい。さらに、上記した実施形態では、検出センサとして荷重検出センサ７０を例示したが、これに限定されず、例えば、検出センサは、シートの位置、具体的には、前後位置や高さ位置などを検出する位置検出センサなどであってもよい。
【００７１】
以上、本発明の実施形態について説明したが、本発明は前記実施形態に限定されるものではない。具体的な構成については、本発明の趣旨を逸脱しない範囲で適宜変更が可能である。
【００７２】
前記実施形態で示した振動ユニット５０の構成は一例であり、本発明は前記実施形態の構成に限定されるものではない。例えば、前記実施形態の取付ブラケット５３は、図３などに示したように、固定部５３Ａの幅が取付部５３Ｂの幅（長手方向の長さ）と同じであったが、これに限定されず、図１１に示すように、固定部５３Ａの幅が取付部５３Ｂの幅よりも短くてもよい。言い換えると、固定部５３Ａは、モータ５１の固定面が確保されていれば、その形状や大きさなどは特に限定されるものではない。また、前記実施形態では、複数の錘ユニット５２Ａ，５２Ｂは、ネジ５４により固定される構成であったが、これに限定されず、ボルトとナットの螺合や、針金などにより固定されるように構成されていてもよい。なお、図１２に二点鎖線で示すように、ネジやボルト、針金などを通すための貫通穴５２Ｈが、図１２に示す方向から見て、取付ブラケット５３の外側に配置されるようなサイズに偏心錘５２を形成することで、複数の錘ユニットの固定作業を容易にすることができる。また、前記実施形態の偏心錘５２は、積層可能な錘ユニット５２Ａ，５２Ｂ（複数部品）から構成されていたが、これに限定されず、偏心錘は一部品として形成されていてもよい。なお、本発明において、偏心錘の形状やモータの駆動方式などは、特に限定されるものではない。
【００７３】
前記実施形態では、振動ユニット５０が、取付部５３Ｂ（取付部分）の長手方向を取付ワイヤＷ１，Ｗ２（掛架部材）の掛け渡し方向と直交する方向に向けた状態で、受圧部材４０を介して取付ワイヤＷ１，Ｗ２に取り付けられていたが、本発明はこれに限定されるものではない。例えば、振動ユニットは、取付部分の長手方向を掛架部材の掛け渡し方向と交差する方向に向けた状態で、具体的には、掛架部材に対し０°よりも大きく９０°よりも小さい角度をなすような向きで、掛架部材に取り付けられていてもよい。なお、本発明において、振動ユニットの取付部分の長手方向とは、取付部分の掛架部材に対して振動を伝達する領域が延びる方向を意味する。したがって、前記実施形態では、取付部５３Ｂが長板状をなしていたが、これに限定されず、例えば、取付部５３Ｂが正方形の板状をなしていてもよい。
【００７４】
前記第１実施形態では、振動ユニット５０が受圧部材４０を介して上下の取付ワイヤＷ１，Ｗ２（掛架部材）に取り付けられていたが、本発明はこれに限定されず、前記した第２実施形態と同様に、掛架部材に直接取り付けられていてもよい。また、前記第１実施形態では、掛架部材として上下の取付ワイヤＷ１，Ｗ２を例示したが、これに限定されず、例えば、振動ユニットがシートバック内に配置される構成において、掛架部材は、シートバックフレームの内側に掛け渡されたシートスプリングなどであってもよい。また、前記第１実施形態では、掛架部材が左右方向に掛け渡されていたが、これに限定されず、例えば、上下方向に掛け渡されていてもよい。また、前記第２実施形態では、掛架部材としてのシートスプリング１４が前後方向に掛け渡されていたが、これに限定されず、例えば、左右方向に掛け渡されていてもよい。さらに、前記実施形態では、掛架部材（上下の取付ワイヤＷ１，Ｗ２やシートスプリング１４）が左右方向または前後方向に掛け渡されていたが、これに限定されず、例えば、図２を参考にして説明すると、掛架部材は、上部フレーム２１の横パイプ部２１Ａと縦パイプ部２１Ｃの間で斜めに掛け渡されていてもよい。
【００７５】
前記実施形態では、受圧部材４０（乗員支持部材）の後面の凹部４２がビード部４１に囲まれることで形成されていたが、本発明はこれに限定されず、例えば、凹部は、乗員支持部材の後面が前方に向けて凹むことで形成されていてもよい。なお、乗員支持部材の前面に後方に向けて凹む凹部が形成されている場合には、当該乗員支持部材の前面に形成された凹部内に振動ユニットを取り付けてもよい。また、前記実施形態では、振動ユニット５０は、その一部が凹部４２，４２’に入り込んだ状態で受圧部材４０に取り付けられていたが、これに限定されず、例えば、振動ユニットが小型である場合には、その全体が凹部に入り込んだ状態で乗員支持部材に取り付けられていてもよい。
【００７６】
前記実施形態では、取付板６０がビード部４１に締結により固定されていたが、本発明はこれに限定されず、例えば、乗員支持部材がビード部を有しない構成において、取付板は、乗員支持部材の前面に固定されていてもよい。また、前記実施形態では、振動ユニット５０が取付板６０との間で受圧部材４０を挟んだ状態で締結によりに固定されていたが、これに限定されず、例えば、取付板を備えない構成において、振動ユニットは、乗員支持部材に結束バンドなどにより固定されていてもよい。
【００７７】
前記実施形態では、受圧部材４０が縦断面において後面が凹むように湾曲していたが、本発明はこれに限定されず、例えば、板状の乗員支持部材は、横断面において後面が凹むように湾曲していてもよい。この場合、振動ユニットを乗員支持部材の後面の左右方向中央部に取り付けることで、前記実施形態と同様に、シートの前後方向への大型化を抑制することができる。
【００７８】
前記実施形態では、本発明を自動車で使用されるシート（車両用シート）に適用した例を示したが、これに限定されず、その他の乗物、例えば、船舶や航空機などで使用されるシートに適用することもできる。また、本発明は、乗物用シートに限定されず、例えば、映画館や家庭などで使用されるシートに適用することもできる。
【符号の説明】
【００７９】
１４    シートスプリング
２２    シートバックサイドフレーム
４０    受圧部材
４１    ビード部
４２    凹部
５０    振動ユニット
５１    モータ
５１Ａ  モータ本体
５１Ｂ  回転軸
５２    偏心錘
５２Ａ  錘ユニット
５２Ｂ  錘ユニット
５３    取付ブラケット
５３Ａ  固定部
５３Ｂ  取付部
６０    取付板
７０    荷重検出センサ
Ｆ      シートフレーム
Ｆ１    シートクッションフレーム
Ｆ２    シートバックフレーム
Ｗ１    上部取付ワイヤ
Ｗ２    下部取付ワイヤ
【図１】
0005988578.tif 000002
【図２】
0005988578.tif 000003
【図３】
0005988578.tif 000004
【図４】
0005988578.tif 000005
【図５】
0005988578.tif 000006
【図６】
0005988578.tif 000007
【図７】
0005988578.tif 000008
【図８】
0005988578.tif 000009
【図９】
0005988578.tif 000010
【図１０】
0005988578.tif 000011
【図１１】
0005988578.tif 000012
【図１２】
0005988578.tif 000013